(57)【特許請求の範囲】
【請求項１】
中間筒部２の左右両端部へ、伸縮自在でかつ外端面閉塞の弾性蛇腹状筒部３、３を連通させて付設した加圧筒部１と、
上記中間筒部２上壁を開口して該開口周縁から起立させた支持筒４上端から該支持筒４よりも大外径の液体収納筒６を起立する第１部材11と、
通水孔８付きの底板９から脚筒10を垂下する第２部材12とからなり、
上記脚筒10を支持筒４内面へ水密に嵌合させて底板９で支持筒４上端面を閉塞させた
ことを特徴とする洗眼器。
【請求項２】
中間筒部２の左右両端部へ、伸縮自在なかつ外端面閉塞の弾性蛇腹状筒部３，３を連通させて付設した加圧筒部１を設け、
又上記蛇腹状筒部間の筒部分上壁を開口して該開口周縁から起立させた支持筒４上端から該支持筒よりも大外径の液体収納筒６を起立し、
更に上記支持筒上面を閉塞する底板９を設けて、該底板中心に穿設した弁孔26と、その弁孔内へ抜出し不能に嵌合させた軸28上端に付設されて弁孔上面の外周部へ下面を圧接する弾性弁板29とで逆止弁30を形成し、
上記加圧筒部１ないし支持筒４の一部に外気吸入孔25を穿設した
ことを特徴とする洗眼器。
【請求項３】
液体収納筒６の上端面一部に通気用凹部７を設けた
ことを特徴とする請求項１又は２記載の洗眼器。
【発明の詳細な説明】
【０００１】
【発明の属する技術分野】
本発明は洗眼器に関する。
【０００２】
【従来の技術】
例えば特開平9‐225003号が示すように電池、モータを有し、操作釦の操作でシャワー部から洗浄水を噴出させて洗眼するよう設けた洗眼器が知られている。
【０００３】
【発明が解決しようとする課題】
上記従来の洗眼器は、電動式であるため、又構造が複雑化するため高価とならざるを得ない。
本発明は手動で構造は簡易であり、操作も簡易に行えるよう設けたものである。
【０００４】
【課題を解決するための手段】
第１の手段として  中間筒部２の左右両端部へ、伸縮自在でかつ外端面閉塞の弾性蛇腹状筒部３、３を連通させて付設した加圧筒部１と、
上記中間筒部２上壁を開口して該開口周縁から起立させた支持筒４上端から該支持筒４よりも大外径の液体収納筒６を起立する第１部材11と、
通水孔８付きの底板９から脚筒10を垂下する第２部材12とからなり、
上記脚筒10を支持筒４内面へ水密に嵌合させて底板９で支持筒４上端面を閉塞させた。
【０００５】
第２の手段として中間筒部２の左右両端部へ、伸縮自在なかつ外端面閉塞の弾性蛇腹状筒部３，３を連通させて付設した加圧筒部１を設け、
又上記蛇腹状筒部間の筒部分上壁を開口して該開口周縁から起立させた支持筒４上端から該支持筒よりも大外径の液体収納筒６を起立し、
更に上記支持筒上面を閉塞する底板９を設けて、該底板中心に穿設した弁孔26と、その弁孔内へ抜出し不能に嵌合させた軸28上端に付設されて弁孔上面の外周部へ下面を圧接する弾性弁板29とで逆止弁30を形成し、
上記加圧筒部１ないし支持筒４の一部に外気吸入孔25を穿設した。
【０００６】
【発明の実施の形態】
まず図１と図２とが示す第１実施形態について説明すると、１は加圧筒部で、該加圧筒部は中間筒部２の左右両端部へ、伸縮自在な、かつ外端面を端板で閉塞する弾性蛇腹状筒部３，３を連通させて付設している。又上記中間筒部の上壁を開口して該開口周縁から支持筒４を起立し、該支持筒上端から上外方へのテーパ状壁５を介して液体収納筒６を起立し、該筒上端に外向きフランジを付設している。該液体収納筒上端面には後述の通気用凹部７を設けている。
【０００７】
又上記支持筒上端面は、適当数の通水孔８を有する底板９で閉塞している。該底板は図示のように支持筒４よりも大外径とし、その外周部をテーパ状壁５の内周部上面へ載置させ、かつ底板下面から垂設した脚筒10を支持筒４内面へ水密に嵌合させるとよい。
【０００８】
該第１実施形態にあっては、既述加圧筒部１、支持筒４、テーパ状壁５、液体収納筒６を有する第１部材11と上記脚筒付き底板が形成する第２部材12とで形成され、各部材はそれぞれ合成樹脂材で一体成形している。第１部材はブロー成形で形成することが出来る。
【０００９】
図３は第２実施形態を示す。該実施形態は、既述第１実施形態における第１部材11の下半と上半とを別部材としてその下部材を第１部材13とし、かつその上半と底板とを一体の第２部材14として形成したもので、第１部材は加圧筒部１の中間筒部２から起立する支持筒を雄ねじ筒21で形成し、又第２部材は底板９外周から上記雄ねじに螺合させて垂設した筒部を雄ねじ筒22とし、かつ雄ねじ筒内面へ嵌合させて底板から内筒23を垂下する。
【００１０】
図４および図５は第３実施形態を示す。該実施形態は、第１実施形態における第１部材11の支持筒４下部の一部に外気吸入孔25を穿設して第１部材15を形成し、その他構造は第１実施形態の第１部材11と同様に形成している。
【００１１】
第２部材16は、支持筒４上端面を閉塞する底板９外周部をテーパ状壁５の内周部上面へ載置させ、かつ底板外周部から垂下する脚筒10を支持筒４の上部内面へ水密に嵌合させている。その脚筒下端は外気吸入孔25よりも上方に位置させる。底板９中心には弁孔26を穿設し、その弁孔内へ弁体27の軸28を抜出し不能に嵌合させている。弁体は、弾性弁板29の中心から軸28を垂下し、その弾性弁板外周部下面を、上記弁孔26上面の外周部へ圧接するもので、それ等弁孔と弾性弁板の外周部下面とで逆止弁30を形成する。上記軸28の外面と弁孔26の内周との間には、例えば弁孔平面形状を三角形に、かつ軸上部の横断面形状を上記三角形の内接円と同径の円柱状として、上記三角形状孔の角部分が通水路を形成するよう設ける。尚軸28の下端部は軸上部よりも大径として弁孔上方への抜出しを防止する。
【００１２】
図６は第４実施形態を示す。該実施形態は、図３実施形態の第１部材13とほぼ同様の第１部材18を有し、蛇腹筒部３の端板中心部に外気吸入孔25,25 を穿設している。その他構造は図３実施形態の第１部材と同一である。
【００１３】
第２部材19も図３実施形態とほぼ同様で、図３実施形態底板９の通水孔８に代えて、図４実施形態のようにその底板中心に弁孔26を穿設している。又その弁孔内には、図４実施形態の場合と同様に設けた弁体27の軸28を抜出し不能に嵌合させ、弁孔26と、該弁孔上面外周部へ圧接する弾性弁板29外周部下面とで逆止弁30を形成している。
【００１４】
以上の各実施形態において、同一構造部分については同一符号を付することで説明を省略する。
以上の各実施形態において、図１と図２とが示す第１実施形態、および図３が示す第２実施形態の場合は、液体収納筒６内、および通水孔８を通って加圧筒部１内へ適量の洗浄水を入れ、液体収納筒上端の外向きフランジを眼周囲の顔面部分へ当て、弾性蛇腹筒部３，３を弾性圧搾すると、加圧筒部１内が高圧化することで、該加圧筒部内の洗浄水は図２が示すように通水孔８を通り上方へ噴出して、該噴出水で洗眼することが出来る。尚上記液体噴出の際、液体収納筒６上端面を顔面に密着させると、該筒内は高圧化し、又蛇腹筒部の圧搾解放による加圧筒部１の弾性復元で液体収納筒６内は負圧化することとなるが、これ等は液体収納筒上端面一部を顔面から離すことで、又は液体収納筒上端面に通気用凹部７を設けておくことで解消することが出来る。
【００１５】
図４と図５とが示す第３実施形態、および図６が示す第４実施形態の場合は、液体収納筒６内へ適量の洗浄水を入れておき、第１、第２実施形態の場合と同様に液体収納筒上端面を眼周囲の顔面部分に当て、又外気吸入孔25を指等で閉じた状態で蛇腹状筒部３，３を圧搾すると、加圧筒部１内空気は逆止弁30を開き、洗浄水を盛上げるから、上記盛上った洗浄水で洗眼すること出来る。水面上方へ放出された空気は通気用凹部７、又は顔面との隙間を通り外気中に放出され、又既述外気吸入孔から指を離し、かつ蛇腹筒部の圧搾を解放することで、加圧筒部１は弾性復元する。
【００１６】
【発明の効果】
本発明は既述構成とするもので、加圧筒部１は、中間筒部２の左右両端部へ伸縮自在な弾性蛇腹状筒部３，３を付設した形成としたから、その加圧筒部の加圧と負圧化を蛇腹状筒部の圧搾と弾性復元とで行うことが出来、それ等は片手で操作できるからその操作が容易である。又上記中間筒部から起立する支持筒４上端から該支持筒よりも大外径の液体収納筒６を起立し、支持筒上端面を通水孔８付き底板９で閉塞するから、液体収納筒６上端を眼周囲の顔面部分へ当て、蛇腹状筒部３，３圧搾で通水孔８から洗浄水を噴出させて洗眼することが容易であり、洗眼した洗浄水は液体収納筒６内へ戻せるから、洗浄水が飛散することもない。
【００１７】
請求項２記載発明の場合も、加圧筒部１は、中間筒部２の左右両端に弾性蛇腹筒部３，３を付設して形成するから、請求項１記載の加圧筒部の場合と同様な効果を有し、
又上記中間筒部２から起立する支持筒４上端から該支持筒よりも大外径の液体収納筒６を起立し、支持筒４上端を弁孔26付きの底板９で閉塞し、その弁孔内へ弾性弁板29中心から垂下する軸28を嵌合させて、その弁孔26と、弁孔上面外周へ圧接させた弾性弁板29外周とで逆止弁30を形成するから、液体収納筒６上端面を眼外周の顔面部分に当て、上記蛇腹状筒部３，３圧搾により加圧筒部内空気を液体収納筒内へ放出し、該放出でその筒内液体を上方へ盛上がらせて該盛上り洗浄水で洗眼することが容易である。又外気吸入孔25解放により蛇腹状筒部３，３は直ちに弾性復元するから、該蛇腹状筒部を有する加圧筒部の再圧搾も続けて行うことが可能である。
【００１８】
請求項３記載のように、液体収納筒６上端面一部に通気用凹部７を設けておくことで、既述洗眼の際、その凹部７を通って液体収納筒内空気が外気中に放出され、又外気が液体収納筒内へも流入するから、その凹部７を設けない場合のように、顔面から液体収納筒上端面を離したり、又圧接させたりする面倒を除くことが出来る。
【図面の簡単な説明】
【図１】  本発明洗眼器の半断面図である。
【図２】  図１洗眼器の蛇腹状筒部を圧搾した状態で示す斜視図である。
【図３】  第２実施形態で示す、洗眼器の半断面図である。
【図４】  第３実施形態で示す、洗眼器の半断面図である。
【図５】  図４洗眼器の蛇腹状筒部を圧搾した状態で示す斜視図である。
【図６】  第４実施形態で示す、洗眼器の半断面図である。
【符号の説明】
１…加圧筒部              ３…蛇腹状筒部
６…液体収納筒            ８…通水孔
９…底板                  25…外気吸入孔
27…弁体                  29…弾性弁板
【図１】
0003771057.tif 000002
【図２】
0003771057.tif 000003
【図３】
0003771057.tif 000004
【図４】
0003771057.tif 000005
【図５】
0003771057.tif 000006
【図６】
0003771057.tif 000007